(57)【要約】心臓弁アセンブリは、複数の列のセルによって画定された固定部と、固定部から延びた一対のレッグとを備え、各セルが、各セルを取り囲む複数のストラットによって画定されるフレームを有する。このアセンブリは、レッグに縫合された複数の小葉を有する小葉アセンブリをさらに備える。心臓弁アセンブリが自然僧帽弁輪の位置に送達されており、固定部が左心房内に完全に保持され、レッグおよび小葉が自然僧帽弁輪を貫いて延びるように、固定部が左心房内に展開される。【選択図】図１
2018534980.tif 000002
【特許請求の範囲】
【請求項１】
複数の列のセルによって画定された固定部と、前記固定部から延びた一対のレッグとを備え、各セルが、各セルを取り囲む複数のストラットによって画定され、前記固定部が左心房の形態に類似した形態を有するフレームと、
前記レッグに縫合された複数の小葉を有する小葉アセンブリと、を備えることを特徴とする心臓弁アセンブリ。
【請求項２】
前記固定部は、ピーク及びバレイを規定する環状のジグザグ配列が設けられた流入端を有することを特徴とする請求項１に記載のアセンブリ。
【請求項３】
前記固定部は、ピーク及びバレイを規定する環状のジグザグ配列が設けられた流出端を有することを特徴とする請求項１に記載のアセンブリ。
【請求項４】
前記固定部は、前記流入端に設けられた複数のイアを備えることを特徴とする請求項２に記載のアセンブリ。
【請求項５】
前記固定部と前記レッグは、ワンピースで設けられることを特徴とする請求項１に記載のアセンブリ。
【請求項６】
前記複数の小葉は、２つ、３つまたは４つの小葉を備えることを特徴とする請求項１に記載のアセンブリ。
【請求項７】
人間の心臓の左心房内に心臓弁アセンブリを固定するための方法であって、
複数の列のセルによって画定された固定部と、前記固定部から延びた一対のレッグとを備え、各セルが、各セルを取り囲む複数のストラットによって画定されるフレームと、前記レッグに縫合された複数の小葉を有する小葉アセンブリと、を備え、前記固定部が左心房の形態に類似した形態を有する心臓弁アセンブリを提供することと、
自然僧帽弁輪の位置に心臓弁アセンブリを送達することと、
前記固定部が前記左心房内に完全に保持され、前記レッグおよび前記小葉が前記自然僧帽弁輪を貫いて延びるように、前記左心房内に前記固定部を展開することと、備えることを特徴とする方法。
【発明の詳細な説明】
【技術分野】
【０００１】
本発明は、患者の僧帽弁機能を回復させるための僧帽弁の経カテーテル設置のための方法、システム及び装置に関するに関する。
【背景技術】
【０００２】
人工心臓弁は、心臓弁膜症を治療するために長年使用される。自然心臓弁（例えば、大動脈弁、肺動脈弁及び僧帽弁）は、心血管系を通す充分な血液の供給の順方向流れを確保する重要な機能を果たす。これらの心臓弁は、先天性、炎症性、または感染性の状況によって、あまり有効にならない。このような状況は、結局、重い心血管系異常または死亡を引き起こす恐れがある。このような病気の最終的治療は、長年、心臓切開手術期間の弁の外科的修復または置換であるが、そのような外科手術は、危険であり、合併症を引き起こす傾向がある。
つい最近、侵襲性が心臓切開手術よりも低いように可撓性カテーテルを使用して人工心臓弁を導入し、埋め込むための経血管技術が開発される。この技術では、人工弁は、可撓性カテーテルの端部にクリンピング状態で取り付けられており、また、弁が埋め込み部位に到達するまで、患者の血管を通して進められる。次に、カテーテルのチップに位置する弁は、例えば、弁が取り付けられたバルーンを膨張させることにより、欠陥自然弁の位置でその機能的サイズに拡張される。あるいは、弁は、カテーテルの遠位端に位置する送達シースから進められるときに弁を機能的サイズに拡張する弾性の自己拡張式ステントまたはフレームを有することができる。
しかしながら、大動脈弁とは異なり、僧帽弁輪は、置換僧帽弁の位置決めのための良い目印を提供しない。置換大動脈弁を必要とする患者では、大動脈弁輪の高さ及び幅は、一般的に、カルシウム形成に関連する変性疾患の存在で増加する。組織におけるこれらの変化は、大動脈弁輪の断面積の低減のため、置換大動脈弁を適所に適切に固定することを容易にする。しかしながら、大動脈弁における普通見られる退行性変化は、逆流がある僧帽弁に存在しないため、僧帽弁輪は、一般的に、罹病大動脈弁の弁輪よりも薄い。この薄い僧帽弁輪は、置換僧帽弁を自然僧帽弁輪内に適切に着席させることを比較的に困難にする。僧帽弁輪の一般的な解剖的構造は、置換僧帽弁を適所に適切に固定することを一層困難にする。僧帽弁輪は、大動脈弁輪が提供する大動脈から左心室への移行よりも円滑な左心房から左心室への移行を提供する。大動脈弁輪は、解剖的に一層顕著であり、置換大動脈弁が適所に一層容易に固定されることができる一層大きい「バンプ」を提供する。
従って、一層大きい僧帽弁輪は、従来の経皮的に送達される弁を自然僧帽弁の位置に確実に埋め込むことを困難にする。ワンピースの置換僧帽弁を弁輪にクリンピングし、または、腱に掛止し、且つ、インプラントフレームを拡張して弁輪内にタイトフィットを達成することにより、ワンピースの置換僧帽弁を送達し、埋め込む工夫が若干ある。これらの方法は、患者の解剖的構造を多かれ少なかれ変化させ、大動脈弁の機能および血流に影響を及ぼす。
その結果、患者の解剖的構造を歪めることなく、経皮的送達によって、自然僧帽弁の位置に確実に埋め込まれることができる置換僧帽弁が必要とされる。
【発明の概要】
【０００３】
本発明は、患者の自然僧帽弁位置における自己拡張式ステント内の生物弁の経皮的経カテーテル設置を可能にする僧帽弁アセンブリ及びこれに関連する送達システムを提供する。
本発明は、複数の列のセルによって画定された固定部と、固定部から延びた一対のレッグとを備え、各セルが、各セルを取り囲む複数のストラットによって画定されるフレームを有する心臓弁アセンブリを提供する。このアセンブリは、レッグに縫合された複数の小葉を有する小葉アセンブリをさらに有する。固定部は、左心房の形態に類似した形態を有する。
本発明は、人間の心臓の僧帽弁位置に心臓弁アセンブリを固定するための方法をされに提供する。心臓弁アセンブリが自然僧帽弁輪の位置に送達されており、固定部が左心房内に完全に保持され、レッグおよび小葉が自然僧帽弁輪を貫いて延びるように、固定部が左心房内に展開される。
【図面の簡単な説明】
【０００４】
図１は、本発明の一実施形態による、拡張形態で示された僧帽弁アセンブリの斜視側面図である。
図２は、図１のアセンブリの側面図である。
図３は、図１のアセンブリの平面図である。
図４は、図１のアセンブリのフレームの斜視図である。
図５は、図４のフレームの側面図である。
図６は、図１のアセンブリの小葉アセンブリの分解図である。
図７Ａは、図６の小葉アセンブリの正面図である。
図７Ｂは、図６の小葉アセンブリの背面図である。
図８は、図６の小葉アセンブリの斜視図である。
図９は、図１のアセンブリを展開するために用いられることができる送達システムを示す。
図１０Ａは、患者の心臓の僧帽弁位置への図１のアセンブリの経心尖的な送達を示す。
図１０Ｂは、患者の心臓の僧帽弁位置における図１のアセンブリの部分的な展開を示す。
図１１Ａは、人間の心臓の僧帽弁位置における開状態での図１のアセンブリを示す。
図１１Ｂは、人間の心臓の僧帽弁位置における閉状態での図１のアセンブリを示す。
【発明を実施するための形態】
【０００５】
以下の詳細な説明は、本発明を実施するための現在考えられる好適な形態に関するものである。この説明は、限定的な意味で理解されるべきではないが、本発明の実施形態の一般原則を説明するために行われるにすぎないものである。本発明の範囲は、添付の特許請求の範囲によって規定されることが好ましい。
本発明は、完全に組み立てられた形態で図１〜８に示された僧帽弁アセンブリ１００を提供する。アセンブリ１００は、自然僧帽弁輪に効果的に固定されることができる簡単な小葉弁支持構造を有するフレーム１０１（図４〜５を参照）を有する。さらに、小葉アセンブリ１０４（図６〜８を参照）は、弁小葉の迅速な開閉を提供し且つ大きい有効開口オリフィス面積を有する新型の小葉形態を提供する。装置１００の構造全体は簡単であり、適切な僧帽弁機能を促進する効果がある。
図１〜５に示すように、フレーム１０１は、患者の心臓の左心房内に位置するように構成されるボール状の固定部１０９を有する。二つのレッグ１７，１８は、固定部１０９の下流端から自然僧帽弁輪を介して左心室内に延びる。レッグ１７，１８及び固定部１０９は、１本の連続ワイヤから製造されることができ、薄壁の生体適合性の金属元素（例えば、ステンレス鋼、Ｃo―Ｃｒ系合金、ニチノール（登録商標）、Ｔａ及びＴｉなど）から製造されることができる。一例としては、ワイヤは、当分野において周知されたニチノール（登録商標）ワイヤから製造されることができ、０．２インチ〜０．４インチの直径を有する。固定部１０９は、フレーム１０１内の開放セル１０３を画定する。各セル１０３は、セル１０３を取り囲む複数のストラット１０３によって画定されることができる。
固定部１０９は、アセンブリ１００、特にフレーム１０１を左心房内に固定するように機能する。固定部１０９は、２つの環状列のセル１０３によって画定された略ボール状の形態を有し、第１列２１のセル１０３が流入端にある頂点２０を有し、第２列２２のセル１０３が流出端にある頂点８を有する。各列のセル１０３は、ピークとバレイを規定するストラットの環状のジグザグ配列を有する。「ボール状」という用語は、自然左心房の形状に類似した略球形または楕円球形を意味することを図る。したがって、固定部１０９は、拡張形態または展開形態でやや球形のボール状の形態を有し、且つ、頂点２０が流入端にある環状開口を画定し、頂部８が流出端にある環状開口を画定するよう形成される。さらに、セル１０３の形状及びサイズは、固定部１０９に亘って変わることができる。例えば、セル１０３は、ややダイヤモンド形であるように示され、且つ、列２１のセル１０３は、通常、列２２のセル１０３よりも大きいことができる。
レッグ１７，１８は、２つの対向するセル１０３から延びる。具体的には、レッグ１７は、セル１０３の１つから延びる湾曲部１０から始まり、直線部に沿って第２湾曲部１１に移行し、次に、もう１つの直線部に沿ってチップまたはロッキングイア１３に鉛直に延びる。同様に、レッグ１８は、対向するセル１０３から延びる湾曲部９から始まり、直線部に沿って第２湾曲部１２に移行し、次に、もう１つの直線部に沿ってチップまたはロッキングイア１４に鉛直に延びる。レッグ１７、１８は、後述する小葉部１ａ、１ｂを支持且つ保持するように機能する。図１に示すように、小葉部１ａ、１ｂは、レッグ１７、１８に直接縫着されることができる。ロッキングイア１３、１４は、図９に示される送達システムのイアハブ２０１４内にあるものに合わせるように、例えば、リング状、Ｔ字状または正方状で設けられる。ロッキングイア１３、１４は、送達システム内にバルブアセンブリ１００を固定するためのものである。
以下は、フレーム１０１の若干の例示的で非限定的な寸法である。例えば、図５を参照すると、固定部１０９の高さＨは、１５〜４０ｍｍであることができる。固定部１０９の最も広い点における直径Ｄは、２０〜５０ｍｍであることができる。
また、レッグ１７、１８の長さは、そこに支持された小葉部１ａ、１ｂのに応じて変わることができる。例えば、図１〜８に示される、小葉部１ａ、１ｂが２つ設けられる実施形態において、レッグ１７、１８の長さは、略１０〜３０ｍｍであることができる。小葉部１ａ、１ｂが４つ設けられる実施形態において、レッグ１７、１８の長さは、例えば、１０〜２０ｍｍであるように短くされることができる。これらの例示的な寸法は、普通の大人のために自然僧帽弁の位置で用いられるように構成されたアセンブリ１００のために用いられることができる。
図６〜図８を参照すると、本発明は、小葉間の一層良い接合を提供する新型の小葉アセンブリを提供する。この小葉アセンブリ１０４は、２０１５年１月１３日に出願され且つ全体が参照により本明細書に組み込まれる米国特許出願第１１／５９５，４３３号に示され且つ説明されたものと同様であることができる。
小葉アセンブリ１０４は、２つの別々の小葉を提供する。各小葉は、上側のスカート部１ａ又は１ｂと下側の小葉洞部２ａまたは２ｂとから構成される。すなわち、スカート部１ａと１ｂは、一方の小葉を構成し、小葉洞部２ａと２ｂは、他方の小葉を構成する。図６、７Ａ及び７Ｂによく示されるように、スカート部１ａと１ｂは同様であり、それぞれが大径の半楕円形のフランジ部６ａまたは６ｂと、小径の本体部４ａまたは４ｂとを有する。各本体部４ａまたは４ｂは、交連折り畳みラインとして機能する対向する側縁２６ａを有し、側縁２６ａがこの交連折り畳みラインに沿って縫合されることにより、単一の小葉アセンブリ１０４が２つの別々の小葉から組み立てられる。各本体部４ａ、４ｂも、縫合縁２９によって画定された中央Ｕ字状開口を有し、この&#8203;縫合縁２９は、対応する小葉洞部２ａまたは２ｂの湾曲した縁を受けるように構成される。各スカート部１ａ、１ｂは、自然弁輪の上部にある楕円形の部位を形成する。
各小葉洞部２ａ、２ｂは略半円形を有し、流出縁３ａまたは３ｂと、縫合縁３１によって画定された湾曲した縁とを備える。各小葉洞部２ａ、２ｂは、縫合縁３１に沿って、対応する本体部４ａまたは４ｂの縫合縁２９に縫合される。
小葉材料は、心膜などの処理された動物組織、または、生体適合性ポリマー材料（例えば、ＰＴＦＥ、ダクロン、ウシ、ブタなど）からのものであることができる。小葉部１ａ、１ｂ、２ａ及び２ｂには、性能を向上させ、血栓形成を防止し、内皮化を促進するように薬物膜または生物薬剤膜が設けられることができ、また、石灰化を防止するように表面層／表面膜が設けられることもできる。
本発明のアセンブリ１００は、低プロファイルに圧縮され、送達システムに載置され、次に、非侵襲性の医療処置、例えば、経心尖的、経大腿的または経中隔的な処置によっての送達カテーテルの使用によって、目標位置に送達されることができる。アセンブリ１００は、目標埋め込み部位に到達すると、送達システムから放されることができ、バルーンの膨張（バルーン拡張可能なワイヤフレーム１０１の場合）またはフレーム１０１に蓄えられた弾性エネルギー（フレーム１０１が自己拡張可能な材料から製造された装置の場合）によって、正常な（拡張の）プロファイルに拡張されることができる。
図９〜図１１Ｂは、どのように経心尖的な送達を用いることによりアセンブリ１００が患者の心臓の肺動脈幹に展開されることができるかを示す。図９を参照すると、送達システムは、外部シャフト２０１３と、外部シャフト２０１３の内腔を貫いて延びる内部コア２０１２とを有する送達カテーテルを備える。イアハブ２０１１は内部コア２０１２から延び、且つ、イアハブ２０１１は遠位チップ２０１５に接続される。イアハブ２０１１には、ロッキングイア１３、１４（図１〜５）に合わせるイア２０１４がある。カプセル２０１０は、外部シャフト２０１３の遠位端に接続され、且つ、外部シャフト２０１３の遠位端から延びており、アセンブリ１００を取り囲み、封入するように構成される。シャフトは、レッグ１７、１８からアセンブリ１００の内腔を介して遠位チップ２０１５に延びる。装置１００は、クリンピングされ、内部コア２０１２に載置され、次に、イア２０１４（図９）内にロッキングされたロッキングイア１３、１４（図１〜５）によって、イアハブ２０１１にあるイア２０１４に圧縮される。ロッキングされたアセンブリ１００及びイアハブ２０１１は、次に、カプセル２０１０によって覆われる。
図１０Ａを参照すると、アセンブリ１００は、カプセル２０１０内に押し縮められた形態で示され、経心尖的な送達の技術を介して僧帽弁位置に送達される。図１０Ｂにおいては、カプセル２０１０は、アセンブリ１００を部分的に露出するように部分的に引き出されることにより、自己拡張式フレーム１０１は、左心房内に固定部１０９を展開する。図１０Ｂに示すように、固定部１０９は、自然左心房の形状及び形態と一致するように形成されるため、フック、バーブまたは他の組織穿刺機構を使用する必要がなく、固定部１０９がアセンブリ１００全体を多少固定された位置に保持するように固定部１０９を左心房内に着席させることが可能である。
カプセル２０１０が完全に引き出されると、図１１Ａ及び図１１Ｂに示すように、レッグ１７、１８は、自然弁輪を貫いて延び、且つ、固定部１０９が左心房内に完全に位置する。小葉部１ａ、１ｂは、自然僧帽弁輪を貫いて延びる。図１１Ａは、開位置での小葉アセンブリ１００を示し、図１１Ｂは、閉位置での小葉アセンブリ１００を示す。これらの図に示すように、アセンブリ１００は、自然小葉が正常のように機能することを可能にし、且つ、小葉部１ａ、１ｂは、自然小葉の欠陥機能（例えば、僧帽弁逆流−僧帽弁漏れ）を補償するように機能する。
従って、アセンブリ１００が展開され且つ自然僧帽弁に合わせると、固定部１０９のボール状の形態は、フック、バーブまたは他の類似の固定機構を使用することなく、アセンブリ１００の大部分が左心房１０内に保持され、且つ、小葉部１ａ、１ｂが僧帽弁輪内に、これらが押し込まれ且つ押しのけられる位置に確実に位置することを可能にする。小葉部１ａ、１ｂは、自然欠陥僧帽弁漏れを補償するように機能するため、漏れや逆流（即ち、左心室から左心房への血液逆流）を防止するための「シール」を形成するように一緒に機能する。
本発明のアセンブリ００は、若干の利点がある。第一、固定部１０９が左心房内に保持される様態は、フック、バーブまたは他の侵襲性の固定機構を使用することなく、効果的な固定を提供する。この固定は、アセンブリ１００の上下移動を低減するため、有効である。第二、固定部１０９の形態は、アセンブリ１００が異なるサイズや形状を有する左心房に適合することを可能にするため、各モデル又はサイズのアセンブリ１００が一層広い範囲の患者のために用いられることを可能にすることにより、サイズや形状の問題を低減する。第三、このアセンブリ１００は、弁輪を拡張したり大動脈弁機能に影響を及ぼしたりすることなく、患者の解剖学的構造の最小変化を引き起こす。左心室内の固定部１０９は、自然腱または弁を変えない簡単な構造を有し、血流動力に及ぼされる影響を最小にする。
上記の説明は、本発明の特定の実施形態を参照したが、本発明の要旨を逸脱することなく、多くの変更が可能であると理解されたい。添付の特許請求の範囲は、本発明の範囲及び要旨に含まれる変更を含むことを意図する。
【図１】
2018534980.tif 000003
【図２】
2018534980.tif 000004
【図３】
2018534980.tif 000005
【図４】
2018534980.tif 000006
【図５】
2018534980.tif 000007
【図６】
2018534980.tif 000008
【図７Ａ】
2018534980.tif 000009
【図７Ｂ】
2018534980.tif 000010
【図８】
2018534980.tif 000011
【図９】
2018534980.tif 000012
【図１０Ａ】
2018534980.tif 000013
【図１０Ｂ】
2018534980.tif 000014
【図１１Ａ】
2018534980.tif 000015
【図１１Ｂ】
2018534980.tif 000016
【国際調査報告】
2018534980.tif 000017